【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するとともに、該認証情報が提示された場合に限り前記残高データへのアクセスを許可するアクセス制御手段と、を有するＩＣモジュールにアクセス可能な携帯端末であって、
ユーザにより入力された認証情報を前記所与の認証情報として前記アクセス制御手段に前記残高データへのアクセスを制限させるアクセス制限設定手段と、
前記アクセス制御手段により前記残高データへのアクセスが制限されてから当該制限が解除されるまでに、前記入力された認証情報を提示して、前記ＩＣモジュールの前記残高返答手段に返答させた残高データを取得する残高取得手段と、
前記取得した残高データをデータ記憶手段に記憶させる残高保存手段と、
を備える携帯端末。
【請求項２】
前記残高保存手段は、前記取得した残高データを、前記データ記憶手段にアクセス可能な管理サーバに送信し、当該データ記憶手段に記憶させる、
請求項１に記載の携帯端末。
【請求項３】
ユーザにより入力された認証情報を前記所与の認証情報として、前記アクセス制御手段に前記残高データへのアクセス制限を解除させるアクセス制限解除手段をさらに備える、
請求項１又は２に記載の携帯端末。
【請求項４】
前記アクセス制限解除手段は、アクセス制限を解除する際に残高データを前記残高取得手段に取得させ、該取得した残高データが示す残高と、前記データ記憶手段に記憶されている残高データが示す残高とが一致している場合に限り、前記残高データへのアクセス制限を解除させる、
請求項３に記載の携帯端末。
【請求項５】
前記アクセス制限解除手段は、管理サーバから解除情報を取得した場合に限り、前記残高データへのアクセス制限を解除させる、
請求項３又は４に記載の携帯端末。
【請求項６】
電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するアクセス制御手段と、を有するＩＣモジュールにアクセス可能な携帯端末と、当該携帯端末と接続可能な管理サーバとにより構成される端末機能管理システムであって、
前記携帯端末は、
ユーザにより入力された認証情報を前記所与の認証情報として前記アクセス制御手段に前記残高データへのアクセスを制限させるアクセス制限設定手段と、
前記アクセス制御手段により前記残高データへのアクセスが制限される所定時間前から当該制限が解除されるまでに、前記ＩＣモジュールの前記残高返答手段に返答させた残高データを取得する残高取得手段と、
前記取得した残高データを、データ記憶手段にアクセス可能な前記管理サーバに送信する残高送信手段と、
ユーザにより入力された認証情報を前記所与の認証情報として、前記アクセス制御手段に前記残高データへのアクセス制限を解除させるアクセス制限解除手段と、
を備え、
前記管理サーバは、
前記携帯端末から受信した残高データを、データ記憶手段に記憶させる残高保存手段と、
前記携帯端末からの要求に応じて解除情報を送信する制限解除許可手段と、
を備え、
前記アクセス制限解除手段は、前記管理サーバから取得した所定の解除情報を用いて、前記残高データへのアクセス制限を解除させる、
端末機能管理システム。
【請求項７】
前記ＩＣモジュールが備えるアクセス制御手段は、所与の認証情報に基づいて前記残高データへのアクセスを制限するとともに、該認証情報が提示された場合に限り前記残高データへのアクセスを許可し、
前記携帯端末が備える残高取得手段は、前記アクセス制御手段により前記残高データへのアクセスが制限されてから当該制限が解除されるまでに、入力された認証情報を提示して、前記ＩＣモジュールの前記残高返答手段に返答させた残高データを取得し、
前記アクセス制限解除手段は、アクセス制限を解除する際に残高データを前記残高取得手段に取得させ、該取得した残高データを前記管理サーバに送信し、
前記管理サーバが備える制限解除許可手段は、前記携帯端末から受信した残高データが示す残高と、前記データ記憶手段に記憶されている残高データが示す残高とが一致している場合に限り、前記携帯端末に前記解除情報を送信する、
請求項６に記載の端末機能管理システム。
【請求項８】
前記管理サーバは、前記ＩＣモジュールが搭載する電子マネー機能が無効であるか否かを判別可能な無効情報を記憶する無効情報記憶手段をさらに備え、
前記管理サーバが備える前記制限解除許可手段は、前記無効情報記憶手段が記憶する無効情報を参照し、前記解除情報の要求元の携帯端末がアクセス可能なＩＣモジュールに搭載されている電子マネー機能が無効であると判別される場合、当該携帯端末に前記解除情報を送信しない、
請求項６又は７に記載の端末機能管理システム。
【請求項９】
前記携帯端末が備える前記アクセス制限設定手段は、前記入力された認証情報を用いて生成された暗号情報を前記所与の認証情報として前記アクセス制御手段に前記残高データへのアクセスを制限させ、
前記携帯端末が備える残高送信手段は、前記作出された暗号情報をさらに前記管理サーバに送信し、
前記管理サーバが備える前記残高保存手段は、前記携帯端末から受信した暗号情報を前記データ記憶手段にさらに記憶させ、
前記管理サーバが備える前記制限解除許可手段は、携帯端末からの要求に応じて、前記暗号情報を前記解除情報として送信する、
請求項６〜８のいずれか一項に記載の端末機能管理システム。
【請求項１０】
電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するとともに、該認証情報が提示された場合に限り前記残高データへのアクセスを許可するアクセス制御手段と、を有するＩＣモジュールにアクセス可能な携帯端末が行う端末機能管理方法であって、
前記携帯端末が、ユーザにより入力された認証情報を前記所与の認証情報として前記アクセス制御手段に前記残高データへのアクセスを制限させるアクセス制限設定ステップと、
前記携帯端末が、前記アクセス制御手段により前記残高データへのアクセスが制限されてから当該制限が解除されるまでに、前記入力された認証情報を提示して、前記ＩＣモジュールの前記残高返答手段に返答させた残高データを取得する残高取得ステップと、
前記携帯端末が、前記取得した残高データをデータ記憶手段に記憶させる残高保存ステップと、
を有する端末機能管理方法。
【請求項１１】
電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するアクセス制御手段と、を有するＩＣモジュールにアクセス可能な携帯端末と、当該携帯端末と接続可能な管理サーバとにより構成される端末機能管理システムが行う端末機能管理方法であって、
前記携帯端末が、ユーザにより入力された認証情報を前記所与の認証情報として前記アクセス制御手段に前記残高データへのアクセスを制限させるアクセス制限設定ステップと、
前記携帯端末が、前記アクセス制御手段により前記残高データへのアクセスが制限される所定時間前から当該制限が解除されるまでに、前記ＩＣモジュールの前記残高返答手段に返答させた残高データを取得する残高取得ステップと、
前記携帯端末が、前記取得した残高データを、データ記憶手段にアクセス可能な前記管理サーバに送信する残高送信ステップと、
前記管理サーバが、前記携帯端末から受信した残高データを、データ記憶手段に記憶させる残高保存ステップと、
前記管理サーバが、前記携帯端末からの要求に応じて解除情報を送信する制限解除許可ステップと、
前記携帯端末が、ユーザにより入力された認証情報を前記所与の認証情報として、前記アクセス制御手段に前記残高データへのアクセス制限を解除させるアクセス制限解除ステップと、
を有し、
前記アクセス制限解除ステップでは、前記携帯端末が、前記管理サーバから取得した所定の解除情報を用いて、前記残高データへのアクセス制限を解除させる、
端末機能管理方法。
【請求項１２】
コンピュータを、電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するとともに、該認証情報が提示された場合に限り前記残高データへのアクセスを許可するアクセス制御手段と、を有するＩＣモジュールにアクセス可能な携帯端末携帯端末として機能させる端末機能管理プログラムであって、
前記コンピュータに、
ユーザにより入力された認証情報を前記所与の認証情報として前記アクセス制御手段に前記残高データへのアクセスを制限させるアクセス制限設定手段の機能と、
前記アクセス制御手段により前記残高データへのアクセスが制限されてから当該制限が解除されるまでに、前記入力された認証情報を提示して、前記ＩＣモジュールの前記残高返答手段に返答させた残高データを取得する残高取得手段の機能と、
前記取得した残高データをデータ記憶手段に記憶させる残高保存手段の機能と、
を実現させる端末機能管理プログラム。
【請求項１３】
電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するとともに、該認証情報が提示された場合に限り前記残高データへのアクセスを許可するアクセス制御手段と、を有するＩＣモジュールにアクセス可能な携帯端末を動作させる端末機能管理プログラムを記録したコンピュータ読取可能な記録媒体であって、
前記携帯端末を、
ユーザにより入力された認証情報を前記所与の認証情報として前記アクセス制御手段に前記残高データへのアクセスを制限させるアクセス制限設定手段と、
前記アクセス制御手段により前記残高データへのアクセスが制限されてから当該制限が解除されるまでに、前記入力された認証情報を提示して、前記ＩＣモジュールの前記残高返答手段に返答させた残高データを取得する残高取得手段と、
前記取得した残高データをデータ記憶手段に記憶させる残高保存手段と、
として機能させる端末機能管理プログラムを記録したコンピュータ読取可能な記録媒体。
【請求項１４】
電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて前記残高データへのアクセスを制限するアクセス制御手段と、を有するＩＣカードにアクセス可能な携帯端末及び店舗端末と、当該携帯端末及び当該店舗端末と接続可能な管理サーバとにより構成される端末機能管理システムであって、
前記携帯端末は、
ユーザにより入力された認証情報を前記所与の認証情報として前記アクセス制御手段に前記残高データへのアクセスを制限させるアクセス制限設定手段と、
前記アクセス制御手段により前記残高データへのアクセスが制限される所定時間前から当該制限が解除されるまでに、前記ＩＣカードの前記残高返答手段に返答させた残高データを取得する残高取得手段と、
前記入力された認証情報及び前記取得した残高データを、データ記憶手段にアクセス可能な前記管理サーバに送信する残高送信手段と、
を備え、
前記店舗端末は、
ユーザにより入力された認証情報を前記所与の認証情報として、前記アクセス制御手段に前記残高データへのアクセス制限を解除させるアクセス制限解除手段を備え、
前記管理サーバは、
前記携帯端末から受信した認証情報及び残高データを、データ記憶手段に記憶させるデータ保存手段と、
前記店舗端末から認証情報が前記データ記憶手段に記憶している認証情報と一致する場合に限り、前記店舗端末に解除情報を送信する制限解除許可手段と、
を備え、
前記アクセス制限解除手段は、前記管理サーバから取得した所定の解除情報を用いて、前記残高データへのアクセス制限を解除させる、
端末機能管理システム。
【手続補正２】
【補正対象書類名】明細書
【補正対象項目名】００３３
【補正方法】変更
【補正の内容】
【００３３】
本発明の一形態に係る端末機能管理システムは、電子マネーの残高を示す残高データを記憶する記憶手段と、当該残高データを読み出して返答する残高返答手段と、当該残高データが示す金額を残高変更情報に基づいて変更する金額変更手段と、所与の認証情報に基づいて残高データへのアクセスを制限するアクセス制御手段と、を有するＩＣカードにアクセス可能な携帯端末及び店舗端末と、当該携帯端末及び当該店舗端末と接続可能な管理サーバとにより構成される端末機能管理システムであって、携帯端末は、ユーザにより入力された認証情報を所与の認証情報としてアクセス制御手段に残高データへのアクセスを制限させるアクセス制限設定手段と、アクセス制御手段により残高データへのアクセスが制限される所定時間前から当該制限が解除されるまでに、ＩＣカードの残高返答手段に返答させた残高データを取得する残高取得手段と、入力された認証情報及び取得した残高データを、データ記憶手段にアクセス可能な管理サーバに送信する残高送信手段と、を備え、店舗端末は、ユーザにより入力された認証情報を所与の認証情報として、アクセス制御手段に残高データへのアクセス制限を解除させるアクセス制限解除手段を備え、管理サーバは、携帯端末から受信した認証情報及び残高データを、データ記憶手段に記憶させるデータ保存手段と、店舗端末から認証情報がデータ記憶手段に記憶している認証情報と一致する場合に限り、店舗端末に解除情報を送信する制限解除許可手段と、を備え、アクセス制限解除手段は、管理サーバから取得した所定の解除情報を用いて、残高データへのアクセス制限を解除させることを特徴とする。